(57)【要約】【課題】本発明は、便器上面と便座との間に間隙を設ける簡易な手段を採用した臀部拭き取り装置を提供することを目的とする。【解決手段】本発明は、紙を取り付けることができる拭き取りアーム３と、拭き取りアーム３を駆動させる拭き取りアーム駆動部２と、着座した使用者の臀部と便器との間に、拭き取りアーム３を移動させることができるようにくり抜かれた部分６を有する嵩上げ部８と、嵩上げ部８のくり抜き部分６を閉じるための閉手段とを備える臀部拭き取り装置１である。閉手段は、開閉カバー部１０と、開閉カバー部１０を上下に駆動するモータ部１１ａ，１１ｂとからなる。【選択図】図５
2014233309.tif 000002
【特許請求の範囲】
【請求項１】
紙を取り付けることができる拭き取りアームと、
前記拭き取りアームを駆動させる拭き取りアーム駆動部と、
着座した使用者の臀部と便器との間に、前記拭き取りアームを移動させることができるようにくり抜かれた部分を有する嵩上げ部と、
前記嵩上げ部のくり抜き部分を閉じるための閉手段とを備え、
前記閉手段は、
開閉カバー部と、
前記開閉カバー部を上下に駆動するモータ部とからなることを特徴とする、臀部拭き取り装置。
【請求項２】
前記開閉カバー部は、前記便器の内径形状に沿って湾曲していることを特徴とする、請求項１に記載の臀部拭き取り装置。
【請求項３】
前記モータ部は、前記嵩上げ部の内部に設けられており、前記開閉カバー部の両端辺部分で回転して前記開閉カバー部を上下に駆動させることを特徴とする、請求項１又は２に記載の臀部拭き取り装置。
【発明の詳細な説明】
【技術分野】
【０００１】
本発明は、臀部を紙で拭き取るための装置に関する。
【背景技術】
【０００２】
従来、臀部拭き取り装置としては、下記の特許文献１〜７に記載されている装置が知られていた。従来の臀部拭き取り装置においては、トイレットペーパーが取り付けられた拭き取りアームを、便座上面と便器との間隙に挿入して、臀部を拭き取ることが多かった。典型的には、便座昇降装置を用いて、便座を持ち上げて、便座上面と便器との間隙を生じさせていた。なお、従来の臀部拭き取り装置においては、便座昇降装置を用いない発明も開示されていた。
【先行技術文献】
【特許文献】
【０００３】
【特許文献１】特開2012-172486号公報
【特許文献２】特開2011-062532号公報
【特許文献３】特開2011-144623号公報
【特許文献４】特開2011-143233号公報
【特許文献５】特開2011-200627号公報
【特許文献６】特開2009-263859号公報
【特許文献７】特開2009-061126号公報
【発明の概要】
【発明が解決しようとする課題】
【０００４】
さて、コストを抑えつつ、便器上面と便座との間に間隙を設ける簡易な手段の開発が望まれていた。そこで、本発明は、便器上面と便座との間に間隙を設ける簡易な手段を採用した臀部拭き取り装置を提供することを目的とする。
【課題を解決するための手段】
【０００５】
上記課題を解決するために、本発明は、以下のような特徴を有する。本発明は、紙を取り付けることができる拭き取りアームと、拭き取りアームを駆動させる拭き取りアーム駆動部と、着座した使用者の臀部と便器との間に、拭き取りアームを移動させることができるようにくり抜かれた部分を有する嵩上げ部と、嵩上げ部のくり抜き部分を閉じるための閉手段とを備える臀部拭き取り装置である。閉手段は、開閉カバー部と、開閉カバー部を上下に駆動するモータ部とからなる。開閉カバー部は、便器の内径形状に沿って湾曲しているとよい。モータ部は、嵩上げ部の内部に設けられており、開閉カバー部の両端辺部分で回転して開閉カバー部を上下に駆動させるとよい。
【発明の効果】
【０００６】
本発明によれば、嵩上げ部を用いて、くり抜き部を形成し、そこから、拭き取りアームを挿入して臀部を拭き取るようにする。したがって、コストを抑えつつ、使用者の臀部と便座との間に間隙を設ける簡易な手段が提供されることとなる。また、開閉カバー部を設けることによって、水分等がくり抜き部分や本体等に侵入して故障や汚れ、不衛生の原因となることを防止することができる。
【０００７】
本発明のこれら、及び他の目的、特徴、局面、効果は、添付図面と照合して、以下の詳細な説明から一層明らかになるであろう。
【図面の簡単な説明】
【０００８】
【図１】図１は、本発明の実施形態に係る臀部拭き取り装置１の機能的構成を示すブロック図である。
【図２】図２は、本実施形態における便座７、嵩上げ部８、及び便器９の概略を示す側面図である。
【図３】図３は、他の実施形態における嵩上げ部７ａ及び便器９の概略を示す側面図である。
【図４】図４は、臀部拭き取り装置１の内部構造の一例（閉手段が閉じているとき）を示す内部斜視図である。
【図５】図５は、臀部拭き取り装置１の内部構造の一例（閉手段が開いているとき）を示す内部斜視図である。
【発明を実施するための形態】
【０００９】
図１において、臀部拭き取り装置１は、拭き取りアーム駆動部２と、拭き取りアーム３と、操作部４と、紙取り付け部５とを備える。紙取り付け部５は、トイレットペーパーを自動的に折りたたみ切断することができる装置である。拭き取りアーム３は、紙取り付け部５によって切断されたトイレットペーパーを取り付けることができる装置であり、先端のつかみ部３ａでトイレットペーパーを把持するアクチュエーターを備える。拭き取りアーム駆動部２は、拭き取りアーム３を前後、左右、上下に動かし、アームの軸方向に回転させることができるように、複数のモータ及び制御装置によって構成されている。操作部４は、拭き取りアーム駆動部２に対して、使用者が拭き取り等の動作を指示するための装置である。なお、紙取り付け部５を設けず、使用者自らがトイレットペーパーを拭き取りアーム３に取り付けるようにしてもよい。なお、このような臀部拭き取り装置１の基本的な機構は、特許文献１〜７によって開示された周知の機構であり、既に本出願人において製品化されている機構であるので、詳細に説明しなくとも実施可能である。臀部拭き取り装置１は、便器の側部や後方等に配置されている。臀部拭き取り装置１は、便座や便器と一体化されていてもよいし、別体であってもよい。
【００１０】
図２は、本実施形態における便座７、嵩上げ部８、及び便器９の概略を示す側面図である。本実施形態においては、便座７と便器９との間に、嵩上げ部８を設ける。嵩上げ部８は、便座７の上面を高くするために設けられるものであり、着座した使用者の臀部と便器９との間に、拭き取りアーム３を移動させることができるようにくり抜かれたくり抜き部６を有する。拭き取りアーム駆動部２は、くり抜き部６の間から拭き取りアーム３を挿入し、拭き取りアーム３を前後左右上下に動かして、臀部の水分や汚れを拭き取る。なお、好ましくは、便座７には、温水洗浄装置が付属されており、温水洗浄された状態で、拭き取りアーム３によって臀部が拭き取られるのがよいが、本発明を限定するものではない。
【００１１】
図３は、他の実施形態における嵩上げ部７ａ及び便器９の概略を示す側面図である。図３に示す実施形態では、嵩上げ部７ａが便座と一体となっているものとする。すなわち、図３に示す嵩上げ部７ａは、通常の便座よりも嵩高い便座であると言える。このように、嵩上げ部７ａにくり抜き部６ａを設け、くり抜き部６ａから拭き取りアーム３を挿入するようにして臀部が拭き取られてもよい。なお、好ましくは、嵩上げ部７ａには、温水洗浄装置が付属されており、温水洗浄された状態で、拭き取りアーム３によって臀部が拭き取られるのがよいが、本発明を限定するものではない。
【００１２】
図４及び図５は、臀部拭き取り装置１の内部構造の一例を示す内部斜視図である。図５は、嵩上げ部８のくり抜き部６が開いたときの様子を示す斜視図である。拭き取りアーム３は、先端のつかみ部３ａで、紙取り付け部５によって自動的に折りたたまれ切断されたトイレットペーパーを掴む。拭き取りアーム駆動部２によって、拭き取りアーム３が便器９と使用者の臀部との間に移動させられるタイミングで、モータ部１１ａ，１１ｂが回転し、開閉カバー部１０を下方向に移動させる。開閉カバー部１０は、便器９の内径に沿うように湾曲しているので、下方向に移動したとしても、便器９とは衝突しない。モータ部１１ａ，１１ｂと開閉カバー部１０とは、歯車やプーリー、ベルト等によって、開閉カバー部１０の両端辺部で連結しており、モータ部１１ａ，１１ｂの回転動作にあわせて、開閉カバー部１０が上下に駆動するようになっている。図５に示すように、拭き取りアーム３が臀部と便器９との間に配置され、紙取り付け部５に取り付けられたトイレットペーパーによって、臀部の汚れが拭き取られる。なお、図５では、トイレットペーパーの図示は省略している。
【００１３】
拭き取りが完了したあと、拭き取りアーム駆動部２は、拭き取りアーム３のつかみ部３ａによるトイレットペーパーの把持を解除し、つかみ部３ａを下に向くように回転させて、トイレットペーパーを捨てて、拭き取りアーム３を元の位置に戻す。その後、モータ部１１ａ，１１ｂは、開閉カバー部１０を上方向に移動させて、くり抜き部６が閉じられる。このように、開閉カバー部１０及びモータ部１１ａ，１１ｂによって、くり抜き部６を閉じるための閉手段が提供される。
【００１４】
なお、図３に示したように、便座と一体となった嵩上げ部７ａを用いる場合であっても、図４及び図５に示した構造と同様の構造を用いて開閉カバー部１０を構成することができる。
【００１５】
このように、本実施形態によれば、嵩上げ部のくり抜き部を形成し、そこから、拭き取りアームを挿入して臀部を拭き取るようにする。したがって、コストを抑えつつ、便器上面と便座との間に間隙を設ける簡易な手段が提供されることとなる。また、嵩上げ部に設けられたくり抜き部から拭き取りアームを露出させる実施形態において、拭き取り動作が行われない状況では、くり抜き部を閉じることができるので、温水洗浄の水分が臀部拭き取り装置の内部に浸入することを防止することができるので、故障発生を防止できる。さらに、飛び散った尿や汚物が臀部拭き取り装置の内部に浸入することを防止することができるので、トイレットペーパーを掴むための内部構造を清潔に保つことができ、衛生的なものとなる。
【００１６】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００１７】
本発明は、臀部拭き取り装置であり、産業上利用可能である。
【符号の説明】
【００１８】
１  臀部拭き取り装置
２  拭き取りアーム駆動部
３  拭き取りアーム
３ａ  つかみ部
４  操作部
５  紙取り付け部
６，６ａ  くり抜き部
７  便座
８，７ａ  嵩上げ部
９  便器
１０  開閉カバー部
１１ａ，１１ｂ  モータ部
【図１】
2014233309.tif 000003
【図２】
2014233309.tif 000004
【図３】
2014233309.tif 000005
【図４】
2014233309.tif 000006
【図５】
2014233309.tif 000007